(57)【特許請求の範囲】
【請求項１】
発熱部品を内蔵する第１の筐体と、
前記第１の筐体を囲むとともに、前記第１の筐体との間に隙間をあけて配置された日よけカバーと、
前記日よけカバーの内側において、前記第１の筐体の第１の外面の裏側に位置する前記第１の筐体の第２の外面と隙間をあけて対向するように配置された第２の筐体と、
前記日よけカバーの内側に配置され、前記日よけカバーの第１の内面と前記第１の外面との間の形成された第１の流路を通して前記日よけカバーの外部から吸気し、前記第２の外面に沿って、前記第２の外面と前記第２の外面に対向する前記第２の筐体の第３の外面との間に形成された第２の流路を通して前記日よけカバーの外部に排気することによって、前記第１の外面と、前記第２の外面とに沿う気流を前記日よけカバーの内側に形成するファンと、
を備える、電子機器。
【請求項２】
前記第２の筐体は、
前記日よけカバーの第２の内面との間に隙間をあけて配置され、前記第３の外面の裏側に位置する第４の外面を有し、
前記第４の外面と、前記第２の内面との間に、前記ファンによって吸気が行われる第３の流路が形成された、
請求項１に記載の電子機器。
【請求項３】
発熱部品を内蔵する第１の筐体を囲むとともに、前記第１の筐体の第１の外面との間、および前記第１の外面の裏側に位置する前記第１の筐体の第２の外面との間に、それぞれ隙間が形成されるように日よけカバーを配置することと、
前記日よけカバーの内側において、前記第２の外面と隙間をあけて対向するように第２の筐体を配置することと、
前記第２の外面と、前記第２の外面と対向する前記第２の筐体の第３の外面との間に、前記第２の外面に沿う第２の流路を形成することと、
前記日よけカバーの内側に配置され、前記日よけカバーの第１の内面と前記第１の外面との間の形成された第１の流路を通して前記日よけカバーの外部から吸気し、前記第２の流路を通して前記日よけカバーの外部に排気するファンによって、前記第１の外面と、前記第２の外面とに沿う気流を前記日よけカバーの内側に形成することと、
を含む、電子機器の冷却方法。
【請求項４】
前記第２の筐体を、前記日よけカバーの第２の内面との間に隙間をあけて配置することと、
前記第３の外面の裏側に位置する第４の外面と、前記第２の内面との間に、前記ファンによって吸気が行われる第３の流路を形成することと、
を含む、請求項３に記載の電子機器の冷却方法。
【発明の詳細な説明】
【技術分野】
【０００１】
本発明の実施形態は、電子機器および電子機器の冷却方法に関する。
【背景技術】
【０００２】
電子機器は通電時に発熱する発熱部品を含む。電子機器が筐体を持つ場合、発熱部品からの発熱によって、筐体および筐体内の温度も上昇する。
電子機器は発熱部品の発熱によって誤動作する可能性がある。電子機器の構成部品（発熱部品も含む）は、温度上昇によって劣化する可能性がある。
誤動作および構成部品の劣化を防止するため、電子機器は冷却して用いられることが多い。
【０００３】
例えば、電子機器は冷却のために放熱器を持つ。例えば、放熱器は放熱フィンからなる。
放熱器は発熱部品または筐体に固定される。放熱器は発熱部品等の接触面積に比べて大きな表面積を持つ。放熱器は、放熱効率上、大型化する。放熱器は、熱伝導率が高い金属が用いられる。
放熱器を持つ電子機器は大型化する。放熱器を持つ電子機器の質量は増大する。
電子機器は屋外で使用される場合もある。屋外で使用される電子機器は日射を受けることによっても温度上昇する。日射によって放熱器の温度も上昇する。日射を受ける放熱器は放熱効率が低下する。
【０００４】
例えば、電子機器は冷却ファンを持つ。冷却ファンは発熱部品に向けて送風する。あるいは、冷却ファンは筐体から排気する。冷却ファンにおいては、風量が多いほど、冷却能力が高まる。冷却ファンは、冷却効率上、大型化する。冷却ファンを持つ電子機器は大型化する。
屋外で使用される電子機器は、防塵および防水のため密閉筐体を持つ。冷却ファンは、密閉筐体内において構成部品を効率的に冷却できない。
【先行技術文献】
【特許文献】
【０００５】
【特許文献１】特開平７−５５１７８号公報
【発明の概要】
【発明が解決しようとする課題】
【０００６】
本発明が解決しようとする課題は、筐体内に配置された発熱部品による温度上昇を効率的に抑制できる電子機器および電子機器の冷却方法を提供することである。
【課題を解決するための手段】
【０００７】
実施形態の電子機器は、第１の筐体と、日よけカバーと、第２の筐体と、ファンとを持つ。第１の筐体は発熱部品を内蔵する。日よけカバーは第１の筐体を囲む。日よけカバーは第１の筐体との間に隙間をあけて配置される。第２の筐体は、日よけカバーの内側に配置される。さらに、第２の筐体は、第１の筐体の第１の外面の裏側に位置する第１の筐体の第２の外面と隙間をあけて対向するように配置されている。ファンは日よけカバーの内側に配置される。ファンは日よけカバーの第１の内面と第１の外面との間の形成された第１の流路を通して日よけカバーの外部から吸気する。ファンは日よけカバーの外部に排気する。ファンは、第２の外面に沿って、第２の外面と第２の外面に対向する第２の筐体の第３の外面との間に形成された第２の流路を通して日よけカバーの内側に気流を形成する。気流は、第１の外面と、第２の外面とに沿う。
【図面の簡単な説明】
【０００８】
【図１】第１の実施形態の電子機器を含むアンテナ装置の全体構成例を示す正面の模式図。
【図２】第１の実施形態の送受信ユニットの全体構成例を示す斜視の模式図。
【図３】図１におけるＡ視図。
【図４】第１の実施形態の電子機器の斜視の模式的な分解図。
【図５】図４におけるＢ視図。
【図６】図２におけるＤ−Ｄ断面図。
【図７】図２におけるＥ−Ｅ断面図。
【図８】第１の実施形態の電子機器の気流の流れを示す斜視の模式図。
【図９】第２の実施形態の電子機器の主要部の構成例を示す断面の模式図。
【図１０】第３の実施形態の電子機器の主要部の構成例を示す断面の模式図。
【発明を実施するための形態】
【０００９】
以下、実施形態の電子機器を、図面を参照して説明する。なお、各図において、同一構成については同一の符号を付す。
【００１０】
（第１の実施形態）
図１は、第１の実施形態の電子機器を含むアンテナ装置の全体構成例を示す正面の模式図である。
【００１１】
図１において、アンテナ装置１００は、反射鏡１０１、支柱１０４、支持アーム１０５、一次放射器１０２、および送受信ユニット５０（電子機器）を持つ。
以下では、アンテナ装置１００がオフセットパラボラアンテナの例で説明する。ただし、アンテナ装置１００は、オフセットパラボラアンテナ以外の種々の方式のアンテナ装置でもよい。
【００１２】
反射鏡１０１は屋外に設置された支柱１０４上に取り付けられる。
反射鏡１０１は、放物面の一部を切り取った反射面を持つ。反射鏡１０１の向きは、通信衛星などからの電波の入射方向に合わせて調整される。反射鏡１０１は通信衛星などから入射する電波を焦点に集める。反射鏡１０１は焦点から放射される電波を通信衛星などが位置する方向に向けて反射する。
支柱１０４に取り付けられた支持アーム１０５は、反射鏡１０１の下端部から焦点の方に向かって延ばされる。支持アーム１０５の延在方向における先端部には支持台１０６が設けられる。
【００１３】
一次放射器１０２は反射鏡１０１の焦点に配置される。一次放射器１０２は放射中心軸線Ｏを中心として電波を放射する。
一次放射器１０２は、導波管１０３を介して、送受信ユニット５０に接続される。
導波管１０３は、一次放射器１０２に外部から入射する電波を偏波方向に応じて分岐する。導波管１０３は、後述する送受信ユニット５０から出射される電波を一次放射器１０２に導く。
【００１４】
一次放射器１０２および導波管１０３が接続された送受信ユニット５０は、反射鏡１０１に対して位置調整される。
送受信ユニット５０の位置調整は、アジマス調整（方位角の調整）、エレベーション調整（仰角の調整）、および偏波調整（放射中心軸線Ｏ回りの回転調整）を含む。アジマス調整およびエレベーション調整は、反射鏡１０１に対する支持台１０６を位置調整することによって行われる。偏波調整は、固定部１０９における放射中心軸線Ｏ回りの固定位置を調整することによって行われる。
【００１５】
位置調整された送受信ユニット５０は、支持板１０８および固定部１０９を介して支持台１０６に固定される。一次放射器１０２および導波管１０３の連結体は、支持台１０６上に立設された支持板１０８に固定される。
送受信ユニット５０は、一次放射器１０２、導波管１０３、および反射鏡１０１などとともに、屋外に配置される。
【００１６】
固定部１０９は、筐体固定板１０９Ｂと位置固定板１０９Ａとを持つ。
筐体固定板１０９Ｂは図示略のボルト、ネジなどによって送受信ユニット５０の後述する日よけカバー１に結合される。
【００１７】
図２は、第１の実施形態の送受信ユニットの全体構成例を示す斜視の模式図である。
【００１８】
送受信ユニット５０は、屋外に配置されるため、経時的に、日射、風雨などの屋外環境にさらされる。このため、図２に示すように、送受信ユニット５０は、第１の筐体２、ファン４、第２の筐体３、および日よけカバー１を持つ。
【００１９】
第１の筐体２は、従来の通信機器においてのＯＤＵ（室外装置）に対応する部分で、衛星通信の周波数帯への周波数変換を行う装置である。また、第２の筐体３は、従来の通信機器におけるＩＤＵ（室内装置）に対応するもので、少なくとも変調器、復調器を含む。
第１の筐体２および第２の筐体３は、電波の送受信を行うため、例えば、電源回路、発振器、変復調回路、増幅回路、フィルタ回路などを持つ。これらの回路上の素子、デバイス等は消費電力に応じて発熱する。第１の筐体２および第２の筐体３は、消費電力に応じて発熱する発熱部品を内蔵している。
第１の筐体２と、第２の筐体３とは、図示略の同軸ケーブルによって電気的に接続される。
【００２０】
ファン４は、日よけカバー１の内側に配置される。ファン４は日よけカバー１の外部から外気を吸気して外部に排気することによって、第１の筐体２および第２の筐体３を冷却する。
【００２１】
日よけカバー１は、第１の筐体２および第２の筐体３を囲むように設けられる。日よけカバー１は、直方体状の外形を持つ。日よけカバー１は、放射中心軸線Ｏに沿って延びる略角筒状である。日よけカバー１は遮光性を持つ金属板などによって形成される。
日よけカバー１は、外部環境から電気回路等を保護するために設けられる。日よけカバー１は、照射される直射日光を遮ることによって、第１の筐体２および第２の筐体３の内部温度の上昇を緩和するために設けられている。
送受信ユニット５０を取り付けるときの位置調整において、偏波調整が必要になるため、送受信ユニット５０はどのような向きで取り付けられるかが不明である。このため、日よけカバー１は、第１の筐体２および第２の筐体3を取り囲む形状で設けられている。
本実施形態では、日よけカバー１は、第１の筐体２および第２の筐体３を放射中心軸線Ｏ回りの全周にわたって覆う。日よけカバー１は、導波管１０３配置される端部と、配線などが延出する反対側の端部を除いて、第１の筐体２および第２の筐体３の外周部を保護する。
【００２２】
偏波調整による放射中心軸線Ｏ回りの送受信ユニット５０の向きが不明でも、日よけカバー１によって第１の筐体２および第２の筐体３が保護される。日よけカバー１は、第１の筐体２および第２の筐体３に対する日射、風雨などの外部環境の影響を緩和することができる。
【００２３】
第１の筐体２および第２の筐体３に直射日光が当たると、第１の筐体２および第２の筐体３が直射日光を吸収して温度上昇する。第１の筐体２および第２の筐体３が温度上昇すると、第１の筐体２および第２の筐体３からの外部への放熱効果が低下する。
しかし、本実施形態では、第１の筐体２および第２の筐体３は、日よけカバー１に囲まれているため、一部の開口を除いて直射日光が遮られる。この結果、直射日光に起因する第１の筐体２および第２の筐体３自体の温度上昇が抑制される。このため、第１の筐体２および第２の筐体３に内蔵される発熱部品の熱が第１の筐体２および第２の筐体３の外表面を通して効率的に放熱される。
【００２４】
図３は、図１におけるＡ視図（図１中に図示された、Ａ方向から見た図）である。
【００２５】
送受信ユニット５０の詳細構成を説明する前に、図３を参照して送受信ユニット５０の取り付け構造について説明する。
以下では、送受信ユニット５０における各部の相対位置を説明するため、便宜上、送受信ユニット５０に固定されたＸ軸、Ｙ軸、Ｚ軸を定義する。具体的には、Ｘ軸は、放射中心軸線Ｏと同軸な軸線として定義する。Ｙ軸は、Ｘ軸に直交する軸線のうち、Ｘ軸における軸方向から見た送受信ユニット５０の長方形形状の短辺に平行な軸線として定義する。同じくＺ軸は、Ｘ軸における軸方向から見た送受信ユニット５０の長方形形状の長辺に平行な軸線として定義する。Ｘ軸、Ｙ軸、Ｚ軸は互いに直交する。また、Ｘ軸およびＹ軸を含む平面はＸＹ平面、Ｙ軸およびＺ軸を含む平面はＹＺ平面、Ｚ軸およびＸ軸を含む平面はＺＸ平面でいうことにする。
Ｘ＋方向は、Ｘ軸上において送受信ユニット５０から一次放射器１０２に向かう方向とする。Ｘ＋方向の反対方向はＸ−方向である。
ＸＹ平面が水平に配置されたとき、Ｙ軸上におけるＹ＋方向は、Ｘ＋方向視において右から左に向かう方向とする。Ｙ＋方向の反対方向はＹ−方向である。
放射中心軸線Ｏが下側となるように送受信ユニット５０のＸＹ平面が水平に配置されたとき（図３の状態）、Ｚ軸上におけるＺ＋方向は、下から上に向かう方向とする。Ｚ＋方向の反対方向はＺ−方向である。
Ｘ軸、Ｙ軸、Ｚ軸は他の図面中にも示される。
【００２６】
位置固定板１０９Ａは、送受信ユニット５０の偏波調整のために設けられる。
位置固定板１０９Ａの外形は、円板の一部が切り欠かれた形状である。位置固定板１０９Ａの表面には筐体固定板１０９Ｂが立設される。
位置固定板１０９Ａは、筐体固定板１０９Ｂを介して送受信ユニット５０に連結される。位置固定板１０９Ａは、送受信ユニット５０のＸ−方向における端部と対向する。
以下、特に断らない限り、この連結状態の配置において位置固定板１０９Ａの構成を説明する。
位置固定板１０９Ａの外形円弧の中心Ｒは、放射中心軸線Ｏ上に位置する。位置固定板１０９Ａの板面はＹＺ平面に平行である。
位置固定板１０９Ａの外周部には、中心Ｒから一定距離の円弧Ｑ上に、複数の固定用孔１０９ｃが形成される。各固定用孔１０９ｃは後述するボルト１１０が螺合可能である。各固定用孔１０９ｃは円弧Ｑ上に等ピッチで配置される。
固定用孔１０９ｃは、円弧Ｑ上において、Ｘ軸方向から見てＺ−方向からＹ＋方向に向かって９０度以上の角度範囲において配置される。固定用孔１０９ｃは、円弧Ｑ上において、Ｘ軸方向から見てＺ−方向からＹ−方向に向かって９０度以上の角度範囲において配置される。
【００２７】
位置固定板１０９Ａの中心部には、Ｘ軸方向から見て送受信ユニット５０と重なる範囲に、貫通孔１０９ａ、１０９ｂが形成される。
貫通孔１０９ａ、１０９ｂは、後述する送受信ユニット５０からの排気を円滑にするために設けられる。貫通孔１０９ａ、１０９ｂには、送受信ユニット５０から延出される図示略の配線が挿通されてもよい。
【００２８】
支持台１０６上には、固定板１０７が立設される。
固定板１０７は、固定部１０９を介して送受信ユニット５０を固定する。固定板１０７は、支持台１０６上で、位置固定板１０９Ａの外周部に重なる位置に配置される。
固定板１０７には、ボルト１１０を挿通する調整孔１０７ａが貫通する。調整孔１０７ａは、円弧状に湾曲した長孔である。調整孔１０７ａは、位置固定板１０９Ａ上の円弧Ｑに沿って延びる。本実施形態では、調整孔１０７ａは、Ｚ軸を挟む２箇所に設けられる。
【００２９】
固定板１０７と位置固定板１０９Ａとは、調整孔１０７ａに挿通されたボルト１１０を固定用孔１０９ｃに螺合することによって互いに固定される。
固定に用いる固定用孔１０９ｃは、位置固定板１０９Ａを中心Ｒ回りに回転することによって適宜選択できる。ボルト１１０が螺合される固定用孔１０９ｃを適宜選択することによって、固定部１０９および送受信ユニット５０の放射中心軸線Ｏ回りの回転位置が変更される。
ボルト１１０を緩めると、固定部１０９および送受信ユニット５０は、調整孔１０７ａの長さの範囲にて放射中心軸線Ｏ回りに回動できる。調整孔１０７ａの長さの範囲の適宜位置において、ボルト１１０を締結することによって、固定部１０９および送受信ユニット５０の回転位置が微調整される。
調整孔１０７ａの円弧Ｑ上の長さは、固定用孔１０９ｃの円弧Ｑ上の配置ピッチ以上である。
【００３０】
送受信ユニット５０は、Ｚ軸が鉛直面内に配置される状態からＸ軸に関して右回りおよび左回りに９０度以上回転した位置までの範囲で固定される。
このような構成によって、送受信ユニット５０に連結される一次放射器１０２の放射中心軸線Ｏ回りの回転位置が変えられる。一次放射器１０２の放射中心軸線Ｏ回りの回転位置は、受信する電波の偏波方向に応じて調整される。
【００３１】
図４は、第１の実施形態の送受信ユニットの斜視の模式的な分解図である。
図４に示すように、日よけカバー１は、カバー１Ａ、１Ｂを持つ。カバー１Ａ、１Ｂは、Ｘ軸方向における長さが互いに等しい。
カバー１Ａは平板部１Ｃ、１Ｄを持つ。平板部１Ｃ、１Ｄはいずれも長方形状である。
平板部１ＣはＺＸ平面に平行に配置される。平板部１ＤはＸＹ平面に平行に配置される。
平板部１Ｄは、Ｚ−方向における平板部１Ｃの端部からＹ−方向に延びる。
平板部１ＣのＹ−方向における表面は、日よけカバー１における内面１ａ（第２の内面）を構成する。平板部１Ｃには、固定穴１ｋが設けられる。固定穴１ｋには、筐体固定板１０９Ｂをカバー１Ａに固定するための図示略のボルト、ビスなどが螺合される。
平板部１ＤのＺ＋方向における表面は、日よけカバー１における内面１ｂを構成する。
【００３２】
内面１ａにおいてＸ軸方向における両端部には、折り曲げ部１ｅが形成される。各折り曲げ部１ｅは、内面１ａからＹ−方向に曲げられた平板部である。各折り曲げ部１ｅは、Ｘ軸方向から見て長方形状である。Ｚ軸方向における各折り曲げ部１ｅの長さは、Ｚ軸方向における内面１ａの長さと略同じである。
【００３３】
Ｚ＋方向における内面１ａの端部には、それぞれ折り曲げ部１ｃが形成される。折り曲げ部１ｃは、内面１ａからＹ−方向に曲げられた板部である。折り曲げ部１ｃは、Ｘ軸方向から見て長方形状である。Ｘ軸方向における折り曲げ部１ｃの長さは、Ｘ軸方向における内面１ａの長さと略同じである。
【００３４】
折り曲げ部１ｃの曲げ元には、折り曲げ部１ｃの一部と、平板部１Ｃの一部とに貫通する開口部１ｄが形成される。
開口部１ｄの個数は制限されない。本実施形態では、開口部１ｄは、一例として、Ｘ軸方向に３つ配列される。
各開口部１ｄの形状は、Ｚ軸方向から見てＸ軸方向に長い矩形状である。さらに、各開口部１ｄの形状は、Ｙ軸方向から見てＸ軸方向に長い矩形状である。
【００３５】
カバー１Ｂは、平板部１Ｅ、１Ｆを持つ。平板部１Ｅ、１Ｆは、いずれも長方形状である。
平板部１ＥはＺＸ平面に平行に配置される。平板部１ＦはＸＹ平面に平行に配置される。
平板部１Ｅは、カバー１Ａにおける平板部１Ｃと同様の大きさである。平板部１Ｆは、Ｚ＋方向における平板部１Ｅの端部からＹ＋方向に延びる。
Ｙ＋方向における平板部１Ｅの表面は、日よけカバー１における内面１ｆ（第１の内面）を構成する。平板部１Ｅには、カバー１Ａにおけると同様の固定穴１ｋが設けられる。カバー１Ｂにおける固定穴１ｋには、図示略のボルト、ビスなどが螺合される。図示略のボルト、ビスなどは、筐体固定板１０９Ｂをカバー１Ｂに固定する。
Ｚ−方向における平板部１Ｆの表面は、日よけカバー１における内面１ｉを構成する。
Ｘ軸方向における内面１ｆの両端部には、それぞれ折り曲げ部１ｈ（Ｘ−方向側は図示略）が形成される。各折り曲げ部１ｈは、内面１ｆからＹ＋方向に曲げられた平板部である。各折り曲げ部１ｈは、Ｘ軸方向から見て長方形状である。Ｚ軸方向における各折り曲げ部１ｈの長さは、Ｚ軸方向における内面１ｆの長さと略同じである。
【００３６】
平板部１Ｅには、内面１ｆに連通するルーバー１ｊが形成される。
ルーバー１ｊの個数および位置は、後述する吸気量のバランスを配慮して決められる。本実施形態では、Ｙ軸方向から見て後述するファン４と一部が重なる領域に配置される。
【００３７】
第１の筐体２は、筐体本体２Ａと、蓋２Ｂとを持つ。
筐体本体２Ａは、Ｙ軸方向から見て、カバー１Ｂの内面１ｆと略重なる略長方形状である。筐体本体２Ａにおいて、Ｘ軸方向における中間部かつＺ−方向における端部となる領域には、Ｙ軸方向から見て略正方形状の切欠き部２ｆが設けられる。筐体本体２Ａにおいて切欠き部２ｆはＹ軸方向に貫通している。
切欠き部２ｆによって囲われる略正方形状の空間には、ファン４が収容される。
筐体本体２ＡはＹ−方向に開口する。本実施形態では、Ｙ軸方向における筐体本体２Ａの高さ寸法は、Ｘ軸方向における筐体本体２Ａの幅およびＺ軸方向における筐体本体２Ａの幅のいずれよりも小さい。すなわち、筐体本体２ＡはＹ軸方向において扁平である。
筐体本体２ＡにおけるＹ＋方向の表面はＺＸ平面に平行な平面でもよいし、凹凸形状を含んでもよい。本実施形態では、筐体本体２ＡにおけるＹ＋方向の表面は後述する凹凸形状を持つ。
筐体本体２Ａは、放熱性の良好な金属によって形成される。
【００３８】
蓋２Ｂは、Ｙ軸方向から見て、筐体本体２Ａの外形と同じ外形に形成される。蓋２Ｂは、平板状またはＹ＋方向に開口する箱状に形成される。
本実施形態では、一例として、Ｙ＋方向に開口する箱状に形成される。蓋２ＢにおけるＹ−方向の表面である外面２ｇ（第１の外面）は、平面でもよいし、凹凸形状を含んでもよい。本実施形態では、外面２ｇはＺＸ平面に平行な平面である。
蓋２Ｂは、筐体本体２Ａの開口を塞ぐ。蓋２Ｂは、図示略のボルト、ビスなどによって、筐体本体２Ａに固定される。蓋２Ｂが筐体本体２Ａに固定されると、筐体本体２Ａの開口は密封される。
蓋２Ｂは、放熱性の良好な金属によって形成される。
【００３９】
ファン４は、ガイド板５に固定される。ファン４のケーシングは、切欠き部２ｆ、２ｈに沿って収容可能な角型である。ファン４の種類は限定されない。本実施形態では、一例として、ファン４はプロペラ型の軸流ファンである。
ファン４は、送風方句がＹ＋方向になるように配置される。本実施形態では、ファン４は、第１の筐体２の切欠き部２ｆに沿って収容される。
【００４０】
ガイド板５は、ファン４を日よけカバー１内の定位置に保持するために設けられる。さらに、ガイド板５は、ファン４が吸気する気流の流路の一部を形成するために設けられる。
ガイド板５はＸＹ平面に平行な平板部５ａを持つ。Ｘ軸方向における平板部５ａの幅は、Ｘ軸方向におけるファン４の幅に等しい。Ｙ軸方向における平板部５ａの長さは、Ｙ軸方向における第１の筐体２の厚さよりも長い。
平板部５ａにおいて、Ｚ＋方向側にはファン固定部５ｄが立設される。
ファン固定部５ｄの中心部には、貫通孔５ｅが形成される。貫通孔５ｅは、ファン４による吸気を妨げない大きさに形成される。
ファン固定部５ｄには、Ｙ−方向におけるファン４のケーシングの端面がビス止めなどによって固定される。
【００４１】
Ｙ−方向におけるガイド板５の先端部には、平板部５ａからＺ−方向に折り曲げられた先端折り曲げ部５ｆが形成される。
Ｘ軸方向における平板部５ａの両端部には、それぞれＺ−方向に延びる折り曲げ部５ｂが形成される。Ｙ軸方向における折り曲げ部５ｂの長さは、Ｙ軸方向における平板部５ａの長さに略等しい。
先端折り曲げ部５ｆとファン固定部５ｄとの間の平板部５ａ上には、Ｚ軸方向に貫通する開口部５ｃが形成される。
【００４２】
第２の筐体３は、筐体本体３Ａと、蓋３Ｂとを持つ。
筐体本体３Ａは、Ｙ軸方向から見て、カバー１Ａの内面１ａと略重なる略長方形状である。
筐体本体３ＡはＹ＋方向に開口する。本実施形態では、Ｚ軸方向における筐体本体３Ａの高さ寸法は、Ｘ軸方向における筐体本体３Ａの幅およびＺ軸方向における筐体本体３Ａの幅のいずれよりも小さい。すなわち、筐体本体３ＡはＹ軸方向において扁平である。
筐体本体３Ａは、放熱性の良好な金属によって形成される。
【００４３】
Ｙ−方向における筐体本体３Ａの表面である外面３ａ（第３の外面）は、平面でも凹凸形状を持つ面でもよい。本実施形態では、外面３ａは、一例として、ＺＸ平面に平行な平面の一部に、図５には図示されない凹部が形成されている。
【００４４】
蓋３Ｂは、Ｙ軸方向から見て、筐体本体３Ａの外形と同じ外形に形成される。蓋３Ｂは、平板状またはＹ−方向に開口する箱状に形成される。
本実施形態では、一例として、Ｙ−方向に開口する箱状に形成される。
Ｙ軸方向における蓋３Ｂの外面３ｂ（第４の外面）は、平面でも凹凸形状を持つ面でもよい。本実施形態では、外面３ｂは、一例として、ＺＸ平面に平行な平面である。
【００４５】
蓋３Ｂは、筐体本体３Ａの開口を塞ぐ。蓋３Ｂは、図示略のボルト、ビスなどによって、筐体本体３Ａに固定される。蓋３Ｂが筐体本体３Ａに固定されると、筐体本体３Ａの開口は密封される。
蓋３Ｂは、放熱性の良好な金属によって形成される。
【００４６】
図５は、図４におけるＢ視図（図４中に図示された、Ｂの方向から筐体２を見た図）である。
【００４７】
ここで、第１の筐体２のＢ視の表面形状、およびＢ視のガイド板５の形状について説明する。
図５に示すように、Ｙ＋方向における筐体本体２Ａの表面の主要部はＺＸ平面に平行な外面２ａ（第２の外面）からなる。本実施形態では、Ｙ＋方向における筐体本体２Ａの表面は、外面２ａに対する凹凸形状を含む。
【００４８】
例えば、外面２ａには凹凸形状として複数のフィン部２ｃが形成される。各フィン部２ｃは、外面２ａにおいて、切欠き部２ｆよりもＸ＋方向側かつＺ軸方向における中間部において突出する。各フィン部２ｃは、Ｙ＋方向（図５の紙面の奥から手前に向かう方向）に突出する。各フィン部２ｃは、Ｘ軸方向に延びる。各フィン部２ｃは、Ｚ軸方向に互いに間隔をあけて平行に配列される。
【００４９】
例えば、外面２ａにおいて切欠き部２ｆよりもＸ−方向側には、Ｙ−方向（紙面の手前から奥に向かう方向）に陥没した凹部２ｂが形成される。凹部２ｂは、切欠き部２ｆおよび筐体本体２Ａの端部に開口する。凹部２ｂは、X−方向側の切欠き部２ｆからＸ−方向における筐体本体２Ａの端部までの気流をガイドする。
【００５０】
例えば、筐体本体２Ａの外周部には、外面２ａよりも高い突き当て部２ｉ、２ｊ、２ｋが形成される。突き当て部２ｉ、２ｊ、２ｋは、後述するように第２の筐体３に突き当てられる。突き当て部２ｉ、２ｊ、２ｋは、Ｙ軸方向における筐体本体２Ａと第２の筐体３との間の間隔を規制する。
【００５１】
外面２ａにおける凹凸形状は、上述の例には限定されない。外面２ａにおける凹凸形状は必要に応じた形状を形成することができる。さらに、外面２ａにおける凸部を用いることなく第２の筐体３との間隔が規制される場合、外面２ａに凹凸形状が含まれなくてもよい。
【００５２】
外面２ａには、第１導波管取付部２ｄおよび第２導波管取付部２ｅが配置される。
第１導波管取付部２ｄおよび第２導波管取付部２ｅには、導波管１０３が固定される。第１導波管取付部２ｄおよび第２導波管取付部２ｅは、導波管１０３と筐体本体２Ａの内部との間で、それぞれ異なる偏波方向の電波を導波する。
第１導波管取付部２ｄは、フィン部２ｃに対するＺ−方向側において放射中心軸線Ｏ上に配置される。
第２導波管取付部２ｅは、フィン部２ｃに対するＺ＋方向側に配置される。
【００５３】
図５に示すように、ガイド板５において、Ｚ軸方向における折り曲げ部５ｂの高さは、Ｚ軸方向における先端折り曲げ部５ｆの高さと等しい。
Ｚ軸方向における折り曲げ部５ｂの先端は、カバー１Ａの内面１ｂに当接する。折り曲げ部５ｂは、平板部５ａ、１Ｄの間のＺ軸方向における間隔を規制する。
【００５４】
図６は、図２におけるＤ−Ｄ断面図である。
【００５５】
次に、日よけカバー１の内側における第１の筐体２、３、ファン４、およびガイド板５の相互の位置関係についてさらに詳しく説明する。
【００５６】
図６に示すように、カバー１ＡにおいてＹ−方向における折り曲げ部１ｃの先端部には、Ｚ−方向に凹む段曲げ部１ｍが形成される。段曲げ部１ｍの先端は、カバー１Ｂの平板部１Ｆの内側に差し込まれる。段曲げ部１ｍに形成された段部は、カバー１Ｂの平板部１ＦのＹ＋方向における端部に突き当たる。
カバー１ＡにおいてＹ−方向における平板部１Ｄの先端部には、Ｚ＋方向に凹む段曲げ部１ｎが形成される。
Ｚ−方向におけるカバー１Ｂの平板部１Ｅの端部には、Ｙ＋方向に延びる折り曲げ部１ｐが形成される。折り曲げ部１ｐは、Ｚ軸方向から見ると、平板部１ＥのＸ軸方向の長さと略同様の長方形状である。
カバー１Ａの段曲げ部１ｎの先端は、カバー１Ｂの折り曲げ部１ｐの内側に差し込まれる。段曲げ部１ｎに形成された段部は、カバー１Ｂの折り曲げ部１ｐのＹ＋方向における端部に突き当たる。
このようにして、日よけカバー１は、Ｘ軸方向の両端部が長方形状に開口する略角筒状に形成される。
日よけカバー１の内側には、カバー１Ｂの平板部１Ｆとカバー１Ａの平板部１Ｃとの間に、第１の筐体２および第２の筐体３が並んで配置される。
【００５７】
第１の筐体２の内部には、発熱部品Ｃ１、Ｃ２が収容される。発熱部品Ｃ１は筐体本体２Ａの内部に配置される。発熱部品Ｃ２は蓋２Ｂの内部に配置される。
発熱部品Ｃ１（Ｃ２）は、少なくとも一部の部位が筐体本体２Ａ（蓋２Ｂ）の内面と接触する。発熱部品Ｃ１（Ｃ２）で発生する熱は、筐体本体２Ａ（蓋２Ｂ）との接触部を通して筐体本体２Ａ（蓋２Ｂ）に熱伝導する。発熱部品Ｃ１（Ｃ２）で発生する熱は、筐体本体２Ａ（蓋２Ｂ）内の対流、輻射によっても筐体本体２Ａ（蓋２Ｂ）に伝熱する。
発熱部品Ｃ１、Ｃ２が使用される回路の種類等の部品機能は限定されない。発熱部品Ｃ１、Ｃ２は、それぞれ１つの回路基板上に配置されてもよいし、それぞれ複数の回路基板上に配置されてもよい。
【００５８】
例えば、発熱部品Ｃ１は、図５に破線で示すように、第１基板Ｃ１ａ、第２基板Ｃ１ｂ、第３基板Ｃ１ｃ、および第４基板Ｃ１ｄを持つ。
第１基板Ｃ１ａは、高発熱部品が実装された回路基板である。第１基板Ｃ１ａは、フィン部２ｃが形成された外面２ａの裏面側に配置される。
第２基板Ｃ１ｂおよび第４基板Ｃ１ｄは、使用温度条件の上限が比較的低い部品を搭載した回路基板である。第２基板Ｃ１ｂおよび第４基板Ｃ１ｄの発熱量は、第１基板Ｃ１ａに比べて少ない。第２基板Ｃ１ｂは、ファン４とＺ軸方向に隣り合う部位の外面２ａの裏面側に配置される。第４基板Ｃ１ｄは、ファン４と開口部Ｐ１との間の外面２ａの裏面側に配置される。
第３基板Ｃ１ｃは、電源回路を持つ電源部である。第３基板Ｃ１ｃは、第２基板Ｃ１ｂおよび第４基板Ｃ１ｄに比べると発熱量は多い。第３基板Ｃ１ｃは、ファン４と開口部Ｐ１との間において、凹部２ｂの裏面側に配置される。
【００５９】
図６に示すように、第２の筐体３の内部には、発熱部品Ｃ３、Ｃ４が収容される。発熱部品Ｃ３は筐体本体３Ａの内部に配置される。発熱部品Ｃ４は蓋３Ｂの内部に配置される。
発熱部品Ｃ３（Ｃ４）は、少なくとも一部の部位が筐体本体３Ａ（蓋３Ｂ）の内面と接触する。発熱部品Ｃ３（Ｃ４）で発生する熱は、筐体本体３Ａ（蓋３Ｂ）との接触部を通して筐体本体３Ａ（蓋３Ｂ）に熱伝導する。発熱部品Ｃ３（Ｃ４）で発生する熱は、筐体本体３Ａ（蓋３Ｂ）内の対流、輻射によっても筐体本体３Ａ（蓋３Ｂ）に伝熱する。
発熱部品Ｃ３、Ｃ４が使用される回路の種類等の部品機能は限定されない。発熱部品Ｃ３、Ｃ４は、それぞれ１つの回路基板上に配置されてもよいし、それぞれ複数の回路基板上に配置されてもよい。
例えば、発熱部品Ｃ３は、使用温度条件の上限が比較的低い部品を搭載した回路基板である。
【００６０】
第１の筐体２の外面２ｇ（第１の外面）とカバー１Ｂの内面１ｆ（第１の内面）とは、Ｙ軸方向において対向する。外面２ｇと内面１ｆとの間には、隙間Ｓ３が形成される。
Ｘ軸方向において、隙間Ｓ３は、図示略の各折り曲げ部１ｈによって閉じられている。
【００６１】
第１の筐体２の外面２ａ（第２の外面）と、第２の筐体３の外面３ａ（第３の外面）とは、Ｙ軸方向において互いに対向する。
第１の筐体２の外面２ａと第２の筐体３の外面３ａとの間には、隙間Ｓ６が形成される。本実施形態では、隙間Ｓ６は、筐体本体２Ａに形成された突き当て部２ｉ、２ｊと図示略の突き当て部２ｋとが、第２の筐体３の外面３ａに突き当たることによって確保される。
隙間Ｓ６において、Ｘ−方向（図６の紙面の手前から奥に向かう方向）における端部には突き当て部２ｉ、２ｊの間に開口部Ｐ１が形成される。
開口部Ｐ１は、Ｘ−方向において送受信ユニット５０の外部に向かって開口する。
【００６２】
カバー１Ｂの内面１ｉと、Ｚ＋方向における第１の筐体２および第２の筐体３側面との間には、隙間Ｓ４が形成される。
隙間Ｓ４は、Ｙ＋方向において第２の筐体３の側面とカバー１Ａの段曲げ部１ｍとが当接することによって閉塞されている。段曲げ部１ｍは、隙間Ｓ４と後述する隙間Ｓ１とを分離している。
隙間Ｓ４は、Ｙ軸方向の中間部において隙間Ｓ６に連通している。
隙間Ｓ４は、Ｙ−方向における端部にて隙間Ｓ３に連通している。
【００６３】
第２の筐体３の外面３ｂ（第４の外面）とカバー１Ａの内面１ａ（第２の内面）とは、Ｙ軸方向において対向する。外面３ｂと内面１ａとの間には、隙間Ｓ１が形成される。
隙間Ｓ１は、Ｚ＋方向における端部で、カバー１Ａの開口部１ｄを通して装置外部に連通している。
隙間Ｓ１は、Ｚ−方向における端部にて、後述する隙間Ｓ２に連通している。
【００６４】
ガイド板５に固定されたファン４は、第１の筐体２の切欠き部２ｈ、２ｆに沿って配置される。ガイド板５の先端折り曲げ部５ｆがカバー１Ｂの内面１ｆと当接されることによって、Ｙ軸方向における定位置にファン４が位置決めされる。
本実施形態ではファン４は、切欠き部２ｈ、２ｆにおいてＹ＋方向寄りに配置される。このため、カバー１Ｂの内面１ｆとファン４との間には、切欠き部２ｈで囲まれた隙間Ｓ５が形成される。隙間Ｓ５は、隙間Ｓ３と連通している。
隙間Ｓ５の大きさは、ファン４によって第１の筐体２および第２の筐体３の冷却するために必要な吸気量が得られる大きさである。隙間Ｓ５が確保できれば、ファン４は、切欠き部２ｆ、２ｈのＹ軸方向における長さの範囲のいずれに配置されてもよい。
隙間Ｓ５とＺ−方向側の隙間Ｓ３とは、ルーバー１ｊを通して装置外部に連通している。
【００６５】
ガイド板５の各折り曲げ部５ｂは、カバー１Ａの内面１ｂに当接する。このため、ガイド板５の平板部５ａとカバー１Ｂの内面１ｂとの間には隙間Ｓ２が形成される。
隙間Ｓ２のＸ軸方向（図６の紙面垂直方向）の両端部は、折り曲げ部５ｂによって閉じられている。隙間Ｓ２のＹ−方向の端部は、先端折り曲げ部５ｆによって閉じられている。
隙間Ｓ２は、開口部５ｃを通して隙間Ｓ５に連通している。
本実施形態では、ガイド板５の平板部５ａは、Ｚ−方向における第２の筐体３の側面に並列する位置まで延ばされる。このため、隙間Ｓ２は、ガイド板５のＹ＋方向における端部において隙間Ｓ１に連通している。
【００６６】
図７は、図２におけるＥ−Ｅ断面図である。
【００６７】
図７を参照して、Ｘ軸方向における日よけカバー１および日よけカバー１の内部の構成を説明する。
図７に示すように、カバー１Ａの各折り曲げ部１ｅは、第２の筐体３の外面３ｂに当接している。各折り曲げ部１ｅは、隙間Ｓ１のＹ軸方向の大きさを規制する。
Ｘ軸方向における隙間Ｓ１の端部は、各折り曲げ部１ｅによって閉じられている。
【００６８】
カバー１Ｂの各折り曲げ部１ｈのＹ＋方向における先端は、第１の筐体２の外面２ｇに当接している。各折り曲げ部１ｈは、カバー１Ｂの平板部１Ｄと第１の筐体２との間隔を規制する。
【００６９】
Ｘ−方向における隙間Ｓ６の端部には、上述した開口部Ｐ１が形成される。本実施形態では、開口部Ｐ１は、外面２ａに形成された凹部２ｂにも連通している。
Ｘ＋方向における隙間Ｓ６の端部には、開口部Ｐ２が形成される。開口部Ｐ２は、第１の筐体２の外面２ａおよび第２の筐体３の外面３ａに挟まれた開口である。開口部Ｐ２の内部には、複数のフィン部２ｃがＸ軸方向に延びる。外面３ａにおいて、フィン部２ｃと対向する部位には、フィン部２ｃを避けるための凹部３ｃが形成される。フィン部２ｃはＸ軸方向に気流を整流する。
【００７０】
次に、送受信ユニット５０の動作について、本実施形態の電子機器の冷却方法の動作を中心として説明する。
送受信ユニット５０はファン４を持つ。ファン４は、日よけカバー１の外部から吸気する。ファン４は日よけカバー１の内部に送風する。ファン４によって送風された気流は、日よけカバー１の内部を通過してから日よけカバー１の外部に排気される。
送受信ユニット５０では、外気が吸気、排気される間に、第１の筐体２および第２の筐体３からの放熱が促進される。
以下、送受信ユニット５０における放熱構造と、ファン４による冷却動作とについて詳細に説明する。
【００７１】
図８（ａ）、（ｂ）は、第１の実施形態の電子機器の気流の流れを示す斜視の模式図である。
【００７２】
図８（ａ）に示すように、ファン４が回転すると、隙間Ｓ５から隙間Ｓ６に向かって気流が発生する。隙間Ｓ５は負圧になる。隙間Ｓ５には、隙間Ｓ５と連通する箇所から気流が流れ込む。
例えば、図８（ｂ）に示すように、隙間Ｓ５は、隙間Ｓ２、Ｓ１、および開口部１ｄを通して、外部に連通する。開口部１ｄ、隙間Ｓ１は、第２の筐体３に関する第３の流路を形成する。第３の流路では、外気が開口部１ｄから隙間Ｓ１、Ｓ２を通って隙間Ｓ３（図８（ｂ）参照）に流れる。このため、少なくとも第２の筐体３の外面３ｂを介して第２の筐体３が冷却される。
さらに、隙間Ｓ１を流れる外気は、カバー１Ａと蓋３Ｂとの間に断熱層を形成する。この結果、カバー１Ａに直射日光が当たる場合に、直射日光の影響がさらに第２の筐体３に伝わりにくくなる。
【００７３】
例えば、図８（ａ）に示すように、隙間Ｓ５は、隙間Ｓ４、Ｓ３を通して、外部に連通する。隙間Ｓ４は、隙間Ｓ６および図示略のルーバー１ｊを介して、外部と連通する。
隙間Ｓ４は、第１の筐体２に関する第１の流路を形成する。第１の流路では、外気が隙間Ｓ４における外部との連通部から隙間Ｓ４、Ｓ３を通って隙間Ｓ５に流れる。このため、少なくとも第１の筐体２の外面２ｇを介して第１の筐体２が冷却される。
さらに、隙間Ｓ３を流れる外気は、カバー１Ｂと蓋２Ｂとの間に断熱層を形成する。この結果、カバー１Ｂに直射日光が当たる場合に、直射日光の影響がさらに第１の筐体２に伝わりにくくなる。
【００７４】
本実施形態におけるファン４は、第１および第３の流路を通して吸気する。それぞれの吸気量は、第１の筐体２および第２の筐体３に収容される図示略の発熱部品Ｃ１、Ｃ２、Ｃ３、Ｃ４の発熱量の大きさに応じてバランスをとる。
吸気量のバランスは、各第１の流路における流路抵抗の大きさによって調整する。流路抵抗は、例えば、隙間Ｓ１、Ｓ２。Ｓ３、Ｓ４の流路断面積、開口部１ｄ、ルーバー１ｊの大きさ、個数、配置位置などによって調整できる。
【００７５】
隙間Ｓ５に流入した外気は、ファン４によって隙間Ｓ６内に吐き出される。
その際、本実施形態では、隙間Ｓ５内では、外気が切欠き部２ｈに沿って流れる。このため、第１の筐体２は、切欠き部２ｈに沿って外気が流れることによっても冷却される。例えば、ファン４のＹ軸方向の位置を変える場合には、外気が図示略の切欠き部２ｆに沿って流れるようにすることもできる。この場合、第１の筐体２は切欠き部２ｆに沿って外気が流れることによっても冷却される。
【００７６】
隙間Ｓ６は、外面３ａ（第３の外面）と外面２ａ（第２の外面）との間に第２の流路を形成する。
隙間Ｓ６内に吐き出された気流は、ファン４に対向する第２の筐体３の外面３ａに向かって吐き出される。吐き出された気流は、外部に連通する開口部Ｐ１、Ｐ２に向かって分かれる（図７参照）。分かれた気流はそれぞれ外面３ａ、２ａに沿って進む。各気流が開口部Ｐ１、Ｐ２に達すると、開口部Ｐ１、Ｐ２から日よけカバー１の外部に排気される。
【００７７】
第２の流路においては、ファン４から気流が吐き出される。第２の流路を流れる気流は、吸気側に比べて運動エネルギーが高い。このため、第２の流路では吸気側に比べてより効率的な冷却が行われる。
外面３ａ、２ａの裏側に配置される図示略の発熱部品Ｃ１、Ｃ３は、図示略の発熱部品Ｃ２、Ｃ４に比べて発熱量が大きい部品としてもよい。この場合、第２の流路を流れる気流によって、第１の筐体２および第２の筐体３に発生する熱をより効率よく冷却することができる。
【００７８】
例えば、図７には、各流路における気流が実線矢印によって模式的に示されている。第１の筐体２および第２の筐体３を通した主要な伝熱経路が白抜き矢印によって模式的に示されている。
隙間Ｓ６に面する筐体本体２Ａの外面２ａあるいは凹部２ｂの裏面側には、上述した第１基板Ｃ１ａ、第３基板Ｃ１ｃのように発熱量が大きい回路基板が配置される。筐体本体２Ａの外面２ａあるいは凹部２ｂはファン４から吹き付けられて隙間Ｓ６に沿って流れる気流によって効率よく冷却される。第１基板Ｃ１ａおよび第３基板Ｃ１ｃは、ファン４の吹き出し口の近くに配置されるため、放熱冷却が促進される。特に、高熱を発する第１基板Ｃ１ａが裏面側に位置する外面２ａ上には、フィン部２ｃが形成される。フィン部２ｃによってより効率的な放熱が可能になる。
【００７９】
隙間Ｓ６に面する筐体本体２Ａの外面２ａの裏面側および筐体本体３Ａの外面３ａの裏側には、上述した第２基板Ｃ１ｂ（図６参照）、第４基板Ｃ１ｄ、および発熱部品Ｃ３が配置される。これらの発熱部品は、高温では使用できない部品を含む回路基板である。
外面２ａ、３ａはファン４から吹き付けられて隙間Ｓ６に沿って流れる気流によって効率よく冷却される。第２基板Ｃ１ｂ、第４基板Ｃ１ｄ、および発熱部品Ｃ３はファン４の吹き出し口の近くに配置されるため、放熱冷却が促進される。
【００８０】
本実施形態では、第２基板Ｃ１ｂ、第４基板Ｃ１ｄは、より高熱を発する第１基板Ｃ１ａ、第３基板Ｃ１ｃよりもさらにファン４の近くに配置される。このようにすれば、ファン４から吐き出された気流があまり温度上昇することなく第１基板Ｃ１ａ、第３基板Ｃ１ｃの近傍に達する。このため、第２基板Ｃ１ｂおよび第４基板Ｃ１ｄを冷却しつつ、第１基板Ｃ１ａおよび第３基板Ｃ１ｃを冷却できる。第１基板Ｃ１ａ、第３基板Ｃ１ｃによって温度上昇する気流は、開口部Ｐ１、Ｐ２から装置外部に排気される。このため、第１基板Ｃ１ａ、第３基板Ｃ１ｃからの放熱で熱せられた気流は隙間Ｓ６内にこもらない。
【００８１】
本実施形態では、外面２ａ上に複数のフィン部２ｃが形成されることによって、より放熱効率が高まる。フィン部２ｃは、隙間Ｓ６の内部に突出するのみであるため、フィン部２ｃを設けても送受信ユニット５０の外形を拡大しなくてもよい。
さらに、フィン部が吸気側の流路に配置されると、流路抵抗が大きくなるため、流量が減少して冷却効率が低下するおそれがある。本実施形態では、フィン部２ｃを排気側の流路に配置するため、円滑な吸気を行うことができる。
【００８２】
図８（ａ）、（ｂ）に示すように、本実施形態では、第１および第３の流路を通した主要な吸気方向はＺ−方向である。第２の流路を通して主要な排気方向は、Ｘ＋方向およびＸ−方向である。
本実施形態のように、吸気方向と排気方向とが互いに異なると、温度上昇した排気流が再び吸気されることが防止できる。この結果、排気が混合する場合に比べて低温の外気が吸気されるため、安定した冷却性能が得られる。
【００８３】
以上説明したように、本実施形態の送受信ユニット５０は、ファン４によって、日よけカバー１と、第１の筐体２および第２の筐体３との間の隙間を通して吸気する。さらに送受信ユニット５０は、ファン４によって、第１の筐体２および第２の筐体３の外面２ａ、３ａに沿って排気する。このため、第１の筐体２および第２の筐体３が、少なくとも外面２ｇ、２ａ、３ａ、３ｂを通して、空冷される。送受信ユニット５０は、第１の筐体２および第２の筐体３内に配置された発熱部品による温度上昇を効率的に抑制できる。
さらに日よけカバー１は、直射日光の影響による第１の筐体２、３の温度上昇を抑制できる点でも、筐体内に配置された発熱部品による温度上昇を効率的に抑制できる。
【００８４】
外面２ｇ、２ａ、３ａ、３ｂに流れる気流は、日よけカバー１の内面１ａ、１ｆの隙間、外面２ａ、３ａ同士の隙間を通る。このため、拡散することなく外面２ｇ、２ａ、３ａ、３ｂの表面に沿って流路断面積に応じた流速で流れる。この結果、第１の筐体２および第２の筐体３は、効率的に空冷される。
第１の筐体２および第２の筐体３の外周が単に日よけカバー１に囲まれているのみであると、第１の筐体２、３の表面が直接的に外気に接しにくくなる。
しかし、本実施形態では、日よけ板である日よけカバー１と第１の筐体２および第２の筐体３との間にファン４によって強制的に気流が流される。この結果、日よけカバー１で囲まれているにも関わらず、第１の筐体２および第２の筐体３からの放熱が円滑になる。
【００８５】
本実施形態では、第２の筐体３が、従来のＩＤＵの機能を含む回路を内蔵する。日よけカバー１の内側には、従来のＯＤＵのみを含む場合に比べて、日よけカバー１内の発熱量が増える。
しかし、本実施形態では、第１の筐体２および第２の筐体３をファン４で効率的に冷却する。このため、第１の筐体２および第２の筐体３が互いに近接して日よけカバー１内に配置されても、第１の筐体２および第２の筐体３間の互いの熱的な影響が抑制される。このため、第１の筐体２および第２の筐体３を日よけカバー１内に収めることが可能である。
【００８６】
（第２の実施形態）
図９は、第２の実施形態の電子機器の主要部の構成例を示す断面の模式図である。
【００８７】
図９に示すように、本実施形態送受信ユニット６０（電子機器）では、ファン４が日よけカバー６１内で、導波管１０３の反対側に設けられている。
以下、上記第１の実施形態と異なる点を中心に説明する。
【００８８】
図９において、日よけカバー６１は、内側に、第１の筐体６２、ファン４、および第２の筐体６３を収容する。
日よけカバー６１の外形は直方体状である。日よけカバー６１の一方の端部（図９の図示左側）には端部開口６０ａが形成される。
日よけカバー６１は、平板部６１Ａ、６１Ｂと、底板部６１Ｃとを持つ。
平板部６１Ａ、６１Ｂは端部開口６０ａを挟んで互いに対向する。
平板部６１Ａ、６１Ｂは、図示奥行き方向の手前側および奥側において、図示略の平板部に接続される。図示略の平板部と、平板部６１Ａ、６１Ｂとによって角筒形状が形成される。
底板部６１Ｃは、平板部６１Ａ、６１Ｂを含む角筒の端部開口６０ａと反対側を塞ぐ。
【００８９】
第１の筐体６２および第２の筐体６３の外形は、いずれも直方体状である。第１の筐体６２および第２の筐体６３は、日よけカバー６１の平板部６１Ａ、６１Ｂの間において、この順に互いに重なるように配置される。
【００９０】
第１の筐体６２は、内部に発熱部品Ｃ１、Ｃ２を収容する。
第１の筐体６２は、筐体本体６２Ａと、蓋６２Ｂとを持つ。
筐体本体６２Ａは、平板部６１Ｂ側に開口する直方体の箱状である。筐体本体６２Ａにおいて端部開口６０ａ側の端部には、導波管１０３の取付部が設けられてもよい。
蓋６２Ｂは、筐体本体６２Ａの開口を塞ぐ平板である。蓋６２Ｂは、ビスなどによって筐体本体６２Ａに固定される。
筐体本体６２Ａおよび蓋６２Ｂは、上記第１の実施形態の第１の筐体２と同様、放熱性の良好な金属によって形成される。
【００９１】
第１の筐体６２は、外面６２ｂ（第１の外面）と外面６２ａ（第２の外面）とを持つ。外面６２ｂは蓋６２Ｂの外表面である。外面６２ａは、筐体本体６２Ａにおいて、開口と反対側の外表面である。
第１の筐体６２は、日よけカバー６１の平板部６１Ｂの内面６１ｂ（第１の内面）と、蓋６２Ｂの外面６２ｂとが互いに対向するように配置される。
内面６１ｂと外面６２ａとの間に隙間Ｓ１１が形成される。隙間Ｓ１１は、端部開口６０ａのうち、蓋６２Ｂと平板部６１Ｂとの間の開口部６０ｂに連通する。
【００９２】
第２の筐体６３は、内部に発熱部品Ｃ３、Ｃ４を収容する。
第２の筐体６３は、筐体本体６３Ａと、蓋６３Ｂとを持つ。
筐体本体６３Ａは、平板部６１Ａ側に開口する直方体の箱状である。
蓋６３Ｂは、筐体本体６３Ａの開口を塞ぐ平板である。蓋６３Ｂは、ビスなどによって筐体本体６３Ａに固定される。
筐体本体６３Ａおよび蓋６３Ｂは、上記筐体本体６２Ａおよび蓋６２Ｂと同様、放熱性の良好な金属によって形成される。
【００９３】
第２の筐体６３は、外面６３ａ（第３の外面）と外面６３ｂ（第４の外面）とを持つ。外面６３ａは、筐体本体６３Ａにおいて、開口と反対側の外表面である。外面６３ｂは蓋６３Ｂの外表面である。
第２の筐体６３は、日よけカバー６１の平板部６１Ａの内面６１ａ（第２の内面）と、蓋６３Ｂの外面６３ｂとが互いに対向するように配置される。
内面６１ａと外面６３ｂとの間に隙間Ｓ１２が形成される。隙間Ｓ１２は、端部開口６０ａのうち、蓋６３Ｂと平板部６１Ａとの間の開口部６０ｃに連通する。
第２の筐体６３の外面６３ａは、第１の筐体６２の外面６２ａと互いに対向する。外面６３ａ、６２ａの間には隙間Ｓ１４が形成される。隙間Ｓ１４は、端部開口６０ａのうち、筐体本体６３Ａ、６２Ａの間の開口部６０ｄに連通する。
【００９４】
第１の筐体６２および第２の筐体６３と、底板部６１Ｃとの間には、隙間Ｓ１３が形成される。
隙間Ｓ１３において、隙間Ｓ１４に面する位置にファン４が配置される。
ファン４は、図示略の固定部材によって第１の筐体６２および第２の筐体６３に固定される。ただし、上記第１の実施形態におけるガイド板５は削除される。
ファン４の送風方向は、隙間Ｓ１３から隙間Ｓ１４に向かう方向である。
隙間Ｓ１４は、少なくともファン４内の流路を通して、隙間Ｓ１３に連通する。ただし、隙間Ｓ１４は、ファン４内の流路のみを通して隙間Ｓ１３に連通してもよい。例えば、第１の筐体６２および第２の筐体６３の端部のうち底板部６１Ｃ側の端部において、ファン４が配置されば部位以外の部位を板部材等で覆ってもよい。
【００９５】
次に、送受信ユニット６０の動作について、上記第１の実施形態と異なる点を中心に説明する。
送受信ユニット６０が屋外に配置される場合、日よけカバー６１は、上記第１の実施形態と同様、第１の筐体６２、６３を直射日光から保護する。
【００９６】
送受信ユニット６０は、上記第１の実施形態の送受信ユニット５０と同様、ファン４を持つ。ただし、ファン４による気流の流路が異なる。
図９に示すように、ファン４が回転すると、隙間Ｓ１３から隙間Ｓ１４に向かって気流が発生する。隙間Ｓ１３は負圧になる。隙間Ｓ１３には、隙間Ｓ１３と連通する隙間Ｓ１１、Ｓ１２から気流が流れる。
【００９７】
例えば、隙間Ｓ１３は、隙間Ｓ１１および開口部６０ｂを通して、外部に連通する。開口部６０ｂ、隙間Ｓ１１は、第１の筐体６２に関する第１の流路を形成する。第１の流路では、外気が開口部６０ｂから隙間Ｓ１１を通って隙間Ｓ１３に流れる。このため、少なくとも第１の筐体６２の外面６２ｂを介して第１の筐体６２が冷却される。
さらに、隙間Ｓ１１を流れる外気は、平板部６１Ｂと蓋６２Ｂとの間に断熱層を形成する。この結果、平板部６１Ｂに直射日光が当たる場合に、直射日光の影響がさらに第１の筐体６２に伝わりにくくなる。
【００９８】
例えば、隙間Ｓ１３は、隙間Ｓ１２および開口部６０ｃを通して、外部に連通する。開口部６０ｃ、隙間Ｓ１２は、第２の筐体６３に関する第３の流路を形成する。第３の流路では、外気が開口部６０ｃから隙間Ｓ１２を通って隙間Ｓ１３に流れる。このため、少なくとも第２の筐体６３の外面６３ｂを介して第２の筐体６３が冷却される。
さらに、隙間Ｓ１２を流れる外気は、平板部６１Ａと蓋６３Ｂとの間に断熱層を形成する。この結果、平板部６１Ａに直射日光が当たる場合に、直射日光の影響がさらに第２の筐体６３に伝わりにくくなる。
【００９９】
隙間Ｓ１４は、外面６３ａ（第３の外面）と外面６２ａ（第２の外面）との間に第２の流路を形成する。
隙間Ｓ１４内に吐き出された気流は、外面６３ａ、６２ａに沿って進む。吐き出された気流は、開口部６０ｄに達すると、開口部６０ｄから日よけカバー６１の外部に排気される。
第２の流路においては、気流がファン４から吐き出されることによって、吸気側に比べて運動エネルギーが高い気流が流れる。このため、吸気側に比べてより効率的な冷却が行われる。
外面６３ａ、６２ａの裏側に配置される発熱部品Ｃ１、Ｃ３は、発熱部品Ｃ２、Ｃ４に比べて発熱量が大きい部品としてもよい。この場合、第２の流路を流れる気流によって、第１の筐体６２および第２の筐体６３に発生する熱をより効率よく冷却することができる。
【０１００】
本実施形態は、上記第１の実施形態と異なり、吸気方向と排気方向とが互いに平行である。しかし、吸気口となる開口部６０ｂ、６０ｃは、排気口となる開口部６０ｄとは互いに離間している。このため、温度上昇した排気流が再び吸気されることを抑制できる。この結果、排気が混合しやすい場合に比べて低温の外気が吸気されるため、安定した冷却性能が得られる。
【０１０１】
以上説明したように、本実施形態の送受信ユニット６０は、ファン４によって、日よけカバー６１と第１の筐体６２および第２の筐体６３との間の隙間を通して吸気する。さらに送受信ユニット６０は、ファン４によって、第１の筐体６２および第２の筐体６３の外面６２ａ、６３ａに沿って排気する。このため、第１の筐体６２および第２の筐体６３が、外面６２ａ、６２ｂ、６３ａ、６３ｂを通して、空冷される。送受信ユニット６０は、筐体内に配置された発熱部品による温度上昇を効率的に抑制できる。
さらに日よけカバー６１は、直射日光の影響による第１の筐体６２および第２の筐体６３の温度上昇を抑制できる点でも、筐体内に配置された発熱部品による温度上昇を効率的に抑制できる。
【０１０２】
（第３の実施形態）
図１０は、第３の実施形態の電子機器の主要部の構成例を示す断面の模式図である。
【０１０３】
図１０に示すように、本実施形態の送受信ユニット７０（電子機器）では、ファン４が日よけカバー６１内で、導波管１０３と同じ方向に設けられている。
以下、上記第２の実施形態と異なる点を中心に説明する。
【０１０４】
本実施形態におけるファン４は、開口部６０ｄを覆う位置に配置される。
ファン４は、図示略の固定部材によって第１の筐体６２および第２の筐体６３に固定される。
ファン４の送風方向は、隙間Ｓ１４から気流を吸い込んで外部にはき出す方向である。隙間Ｓ１４には、図示略のガイド板などが配置されてもよい。図示略のガイド板は、内部の気流をファン４の吸い込み口に向かって案内する形状にしてもよい。
隙間Ｓ２３は、上記第２の実施形態の隙間Ｓ１３の大きさを必要に応じて変えて形成される。
【０１０５】
送受信ユニット７０では、ファン４が回転すると、開口部６０ｄを通して隙間Ｓ１４から吸気される。隙間Ｓ１１、Ｓ１２、Ｓ１４によって、それぞれ第１の流路、第３の流路、第２の流路が形成されることは、上記第２の実施形態と同様である。
本実施形態では、送受信ユニット７０の気流がファン４の吸引のみによって形成される以外は、上記第２の実施形態と同様の気流が形成される。
したがって、送受信ユニット７０は、上記第２の実施形態と同様にして、筐体内に配置された発熱部品による温度上昇を効率的に抑制できる。
【０１０６】
以下、上述した実施形態の変形例について説明する。
上記第１の実施形態では、実施形態の電子機器がアンテナ装置１００に用いられる。しかし、上記各実施形態の電子機器は、アンテナ装置以外に用いられてもよい。上記各実施形態の電子機器は屋内に配置されてもよい。上記各実施形態の電子機器は、屋外に配置された装置に内蔵されてもよい。
【０１０７】
上記各実施形態の説明では、日よけカバーの内側に２つの筐体が配置される。しかし、日よけカバーに配置される筐体の個数は限定されない。例えば、日よけカバーの内側に１つの筐体のみが配置されてもよい。例えば、日よけカバーの内側に３以上の筐体が配置されてもよい。
【０１０８】
上記各実施形態の説明では、２つの筐体を含む場合に、いずれの筐体においても、日よけカバーの内面と筐体の外面との間にファンによる気流が形成される。すなわち、２つの筐体は第１の筐体と、第２の筐体とであって、これらと日よけカバーとの間に第１および第３の流路が形成される。第１および第２の筐体の間には第２の流路が形成される。
しかし、筐体に含まれる発熱部品の発熱量によっては、一方の筐体と日よけカバーの内面との間の流路（第３の流路）は閉鎖されてもよい。
【０１０９】
上記各実施形態の説明では、ファン４が１個設けられている。しかし、ファンの個数は１個には限定されない。例えば、上記第２および第３の実施形態において、図９、図１０の奥行き方向に複数のファンが配置されてもよい。
【０１１０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１１】
１、６１…日よけカバー，１ａ、６１ａ…内面（第２の内面），１ｆ、６１ｂ…内面（第１の内面），２、６２…第１の筐体，２ａ、６２ａ…外面（第２の外面），２ｆ、２ｈ…切欠き部，２ｇ、６２ｂ…外面（第１の外面），３、６３…第２の筐体，３ａ、６３ａ…外面（第３の外面），３ｂ、６３ｂ…外面（第４の外面），４…ファン，５…ガイド板，５０、６０、７０…送受信ユニット（電子機器），１００…アンテナ装置，Ｃ１、Ｃ２、Ｃ３、Ｃ４…発熱部品，Ｏ…放射中心軸線，Ｐ１、Ｐ２…開口部，Ｓ１、Ｓ３、Ｓ５、Ｓ６、Ｓ１１、Ｓ１２、Ｓ１３、Ｓ２３…隙間
【図１】
0006538499.tif 000002
【図２】
0006538499.tif 000003
【図３】
0006538499.tif 000004
【図４】
0006538499.tif 000005
【図５】
0006538499.tif 000006
【図６】
0006538499.tif 000007
【図７】
0006538499.tif 000008
【図８】
0006538499.tif 000009
【図９】
0006538499.tif 000010
【図１０】
0006538499.tif 000011